(57)【要約】【課題】アウトドアフィールドにおいて、日蔭の確保および着替えに最適な空間を容易に作り出すことが可能であり、かつ、持運び容易で安価なパラソルの提供を図る。【解決手段】レジャー等で日避けに用いられるパラソルであって、該パラソルの各露先部に吊り下げられた状態で囲いシートが取り付けられている構成となっている。また、前記パラソルの各露先部と囲いシートの上端辺所定箇所とが、止具によって着脱自在とする構成を採用することも可能である。【選択図】図１
2006304894.tif 000002
【特許請求の範囲】
【請求項１】
レジャー等で日避けに用いられるパラソルであって、該パラソルの各露先部に吊り下げられた状態で囲いシートが取り付けられていることを特徴とするパラソル。
【請求項２】
前記パラソルの各露先部に第一止め具を設けるとともに、囲いシートの上端辺所定箇所に複数の第二止め具を設けることで、該囲いシートがパラソルから着脱可能となっていることを特徴とする請求項１に記載のパラソル。
【発明の詳細な説明】
【技術分野】
【０００１】
本発明は、レジャー等で日避けに用いられるパラソルに関し、詳しくは、バーベキューや海水浴等のアウトドアフィールドにおいて、日蔭の確保および着替えに最適な空間を容易に作り出すことが可能なパラソルに関するものである。
【背景技術】
【０００２】
海水浴や運動会などのアウトドアにおいて、紫外線による日焼けや、荷物、特に飲食物に直射日光が当たることを避けるため、傘布面積のより大きなパラソルを使用することが多い。これらのパラソルは紫外線をカットするための生地を使用して、日焼けによる皮膚への影響や、直射日光による食品等への影響を防いでいる。さらに、タープを設営することにより、より大きな日蔭を確保することができる。また、屋外で着替えを必要とする場合には、更衣室を探して移動するか、車中、あるいは、着替えのための専用テントを用意したりすることで対応しているのが現状といえる。
【０００３】
しかし、アウトドア活動においては、少しでも荷物を少なくしたいものである。特に、運動会の会場、キャンプ場、海水浴、川原でのバーベキュー等、アウトドアフィールドには車が入れない場合が多く、活動場所まで、これらの用具をすべて準備するとなると設営・運搬等において煩雑となり、費用面においても過分な負担を強いられることになる。したがって、タープや着替え専用テントを利用する方法では、これらの問題を解決できない。
【０００４】
また、従来のパラソルは、上述の通り、傘布に紫外線吸収素材等を用いて日焼け等の防止を図る等の工夫がされているものも存在するが（実開平７−１８６２０号）、地面からの反射光に対しては無意味である。草原や芝生であれば、反射率は少ないが、乾燥した砂浜になると、太陽光の反射率は２割程度となり、水面の反射率は集光レンズの働きによって、瞬間的に１００％を越えることもあるといわれている。また、スキー場での催しの際の使用にあっては、雪面の反射率は８割を超えるので、ほとんど役に立っていない。さらに、太陽の位置によって、日蔭部分が大きく移動してしまうので、パラソルのみでは充分な日蔭部分を確保することができない。このような問題点に鑑み、種々の提案がなされている。例えば、半円環の外周に、フックを設けファスナーを有するシートを接続し、カーテン型の更衣室を形成させる考案がある（実開平５−０３８２１２号）。該考案によれば、紫外線等から日焼け防止を図ることは可能となるが、運搬・設営・費用等の問題を解決するには至っていない。
【０００５】
【特許文献１】実開平７−１８６２０号公報
【特許文献２】実開平５−０３８２１２号公報
【発明の開示】
【発明が解決しようとする課題】
【０００６】
上記問題点に鑑み、本発明は、アウトドアフィールドにおいて、日蔭の確保および着替えに最適な空間を容易に作り出すことが可能であり、かつ、持運び容易で安価なパラソルを提供することを目的とする。
【課題を解決するための手段】
【０００７】
前記目的を達成するため、本発明は、レジャー等で日避けに用いられるパラソルであって、該パラソルの各露先部に吊り下げられた状態で囲いシートが取り付けられている構成を採用する。
【０００８】
また、本発明は、前記パラソルの各露先部に第一止具を設けるとともに、囲いシートの上端辺所定箇所に複数の第二止具を設けることで、該囲いシートがパラソルから着脱可能となっている構成とすることもできる。
【発明の効果】
【０００９】
本発明にかかるパラソルによれば、海水浴や運動会などのアウトドアにおいて、紫外線による日焼けや、荷物、特に飲食物に直射日光が当たることを避けるための通常の日避けとして使用することができるとともに、屋外で着替えを必要とする場合の更衣室としても効果を発揮する
【００１０】
また、本発明にかかるパラソルによれば、囲いシートを簡単に着脱可能とすることで、更衣室として使用した後、該囲いシートを取り外して日避け用パラソルとして使用するといった、用途に応じた使用態様が可能となるほか、取り外した囲いシートをレジャーシートとして使用することで、荷物量の軽減にも資する効果を奏する。
【発明を実施するための最良の形態】
【００１１】
本発明にかかるパラソル１は、該パラソル１の露先部３から囲いシート２を吊り下げることで、幅の広い用途に活用可能可能としたことを最大の特徴とする。以下、本発明にかかるパラソル１の実施形態を図面に基づいて説明する。
【００１２】
図１は、本発明にかかるパラソル１の実施形態を示す斜視図である。該パラソル１は、地刺部・中棒・親骨等からなる一般的なパラソル１の各露先部３に、吊り下げられた状態で囲いシート２が取り付けられた構成となっている。
【００１３】
囲いシート２の素材については、布生地製やビニール製等、特に限定はない。そして機能上も限定はないが、防水性や通気性等を備えさせることも可能である。該囲いシート２の幅は、少なくともパラソル１を開いた際の外周を取り囲むことが可能な幅を有すればよい。また、上下の長さについては、更衣室としての機能を発揮させるため、パラソル１を地面に刺した際に、地面に該囲いシート２が着くかあるいは着かなくともあまり短くならない程度の長さを有する。そして、該囲いシート２の形状について、パラソル１の外径に合わせた円筒形状とすることも可能であるし、パラソル１の外径を一周する一枚の略長方形状とすることも可能である。略長方形状とした場合、図４に示すように、囲いシート２の一周して重なる両端箇所が、実際に使用するにあたって囲いシート２で覆われたパラソル１への出入りをスムーズに行うことが可能な入り口Ｅとして機能することとなる。
【００１４】
上記囲いシート２は、パラソル１の各露先部３に吊り下げられることとなる。該露先部３への取り付け手段について、まず該囲いシート２を取り外し不可に固定してしまう構造が考えられる。かかる場合の固定手段については特に限定はなく、縫い付けや溶着、金具による固定等、種々の固定手段を採用することができる。尚、常に囲いシート２が吊り下がった状態となるのを避けるべく、該囲いシート２を巻き上げ可能な構造とすることも考え得る。
【００１５】
また、上記囲いシート２について、種々幅広い用途に使用することを考慮すると、該囲いシート２がパラソル１から着脱可能な構造とすることが考えられる。図２及び図３は、かかる囲いシート２をパラソル１から着脱可能とするための止め具構造について示している。すなわち、図２は、パラソル１の各露先部３に第一止め具４としてフック受けを設けるとともに、囲いシート２の上端辺所定箇所に第二止め具５として複数のフックを設けた構成を採用した場合を示している。また、図３は、パラソル１の各露先部３に第一止め具４として雄雌いずれかのボタン止め具を設けるとともに、囲いシート２の上端辺所定箇所に第二止め具５として複数の雄雌いずれかのボタン止め具を設けた構成を採用した場合を示している。図面で示したかかる止め具構造はあくまで例示であって、その外にも磁石やベルクロファスナーによる止め具等、種々の止め具を採用することが可能である。
【００１６】
上記囲いシート２をパラソル１から着脱可能とすることで、囲いシート２不使用時にはパラソル１から簡単に取り外してパラソル１のみで使用することが可能となり、パラソル１本来の機能を充分に発揮させることができるとともに、さらには、取り外した囲いシート２をパラソル１周辺の地面に敷くことで、該囲いシート２をレジャーシートとして使用することが可能であり、荷物量の荷物量の軽減にも一役買う効果を奏する。
【図面の簡単な説明】
【００１７】
【図１】本発明にかかるパラソルを示す斜視図である。
【図２】本発明のかかるパラソルの止め具構造を示す拡大図である。
【図３】本発明のかかるパラソルの止め具構造を示す拡大図である。
【図４】本発明にかかるパラソルを示す斜視図である。
【符号の説明】
【００１８】
１    パラソル
２    囲いシート
３    露先部
４    第一止め具
５    第二止め具
Ｅ    入り口
【図１】
2006304894.tif 000003
【図２】
2006304894.tif 000004
【図３】
2006304894.tif 000005
【図４】
2006304894.tif 000006